(57)【要約】【課題】ブリーフの製造を容易にし、使用者が着用後柔軟で滑らかな前身中央生地表面が皮膚に接触し、且つ膨出部を使用者の生殖器官の形状に合わせることでより快適に着用することができる、前身中央生地シームレスブリーフの提供。【解決手段】本考案の前身中央生地シームレスブリーフは、少なくともブリーフと、該ブリーフ前面に設置する前身中央生地と、該ブリーフ上端部に設置する細幅伸縮性生地とを含み、該前身中央生地が弾性を備えた柔軟な生地から成り、該前身中央生地に熱プレスの方式で膨出部を形成することを特徴とし、該ブリーフの製造を容易にする効果が得られるだけでなく、使用者が着用後、柔軟で滑らかな前身中央生地の表面が皮膚に接触し、且つ、該膨出部を利用して使用者の生殖器官の形状に合わせることで、より快適に着用できるという効果も得ることができる。【選択図】図４
0003117128.tif 000002
【実用新案登録請求の範囲】
【請求項１】
少なくとも、ブリーフと、前記ブリーフの前面に設置する前身中央生地と、前記ブリーフの上端部に設置する細幅伸縮性生地とを含み、そのうち、前記前身中央生地が弾性を備え、柔軟で耐熱温度が１５０℃〜２００℃の間の２枚の生地から成り、前記前身中央生地に熱プレスの方式で膨出部を形成することを特徴とする、前身中央生地シームレスブリーフ。
【請求項２】
前記前身中央生地の布材が、ナイロン、弾性人造繊維、リクラ、ポリエステル繊維またはテンセルのうちのいずれかの材質から成る、請求項１に記載の前身中央生地シームレスブリーフ。
【請求項３】
前記前身中央生地の布材が、ナイロン、弾性人造繊維、リクラ、ポリエステル繊維またはテンセルのうちの一種類以上の材質の混紡から成る、請求項１に記載の前身中央生地シームレスブリーフ。
【考案の詳細な説明】
【技術分野】
【０００１】
本考案は、前身中央生地シームレスブリーフに関し、詳細には、ブリーフの製造を容易にし、且つ、着用時により快適な前身中央生地シームレスブリーフに関する。
【背景技術】
【０００２】
図１、図２及び図３に示すように、一般的な従来のブリーフは、ブリーフ５、ブリーフ５前面に設置された前身中央生地５１、ブリーフ５上端部に設置された細幅伸縮性生地５２から構成され、この前身中央生地５１は辺縁部に切欠部５１３、５１４をそれぞれ備えた２枚の生地５１１、５１２から構成され、この前身中央生地５１は製造時にまず切欠部５１３、５１４を縫着し、この２枚の生地５１１、５１２に弧状部を形成し、その後さらにこの２枚の生地５１１、５１２をブリーフ５前面に縫着して前身中央生地５１を形成し、使用者が着用すると、この前身中央生地５１に設けた弧状部が使用者の生殖器官の形状に合うようになっている。
【０００３】
上述のようなブリーフは、前身中央生地５１に設けた弧状部により、使用者の生殖器官の形状に合わせているが、この前身中央生地５１の各生地５１１、５１２は、それぞれ縫着の方式で切欠部５１３、５１４に弧状部を形成する必要があるため、製造に手間と時間がかかり、ブリーフの製造工程と構造をより複雑にしているだけでなく、この切欠部５１３、５１４は縫着後その内面に一本の縫着部５１５ができるため、使用者が着用すると、この縫着部５１５が生殖器官及びその周囲の皮膚に接触し、使用者の着用時に不快感を与える。このため、一般的な従来のブリーフは実際の使用時のニーズを満たすことができない。
【考案の開示】
【考案が解決しようとする課題】
【０００４】
このため、本考案の主な目的は、ブリーフの製造を容易にするだけでなく、使用者が着用した後、柔軟で滑らかな前身中央生地表面が皮膚に接触し、且つ、膨出部を利用して使用者の生殖器官の形状に合わせることで、より快適に着用することができる、前身中央生地シームレスブリーフを提供することにある。
【課題を解決するための手段】
【０００５】
上述の目的を達するため、本考案の前身中央生地シームレスブリーフは、少なくとも、ブリーフと、このブリーフ前面に設置した前身中央生地と、このブリーフの上端部に設置した細幅伸縮性生地を含み、この前身中央生地は、弾性を備えた柔軟な布材とし、この前身中央生地にさらに熱プレスの方式で膨出部を形成する。
【考案を実施するための最良の形態】
【０００６】
図４及び図５に本考案の立体外観図及び本考案の前身中央生地模式図をそれぞれ示す。これらの図に示すように、本考案の前身中央生地シームレスブリーフは、少なくともブリーフ１と、このブリーフ１前面に設置した前身中央生地２と、このブリーフ１の上端部に設置した細幅伸縮性生地３とを含み、且つ、この前身中央生地２は２枚の生地２２から構成され、これらブリーフ１、前身中央生地２及び細幅伸縮性生地３を利用して使用者が両足を伸入させ腰部に着用するブリーフ型を形成する。この前身中央生地２は、弾性を備え、柔軟で耐熱温度が１５０℃〜２００℃の間の布材とし、且つ、熱プレスの方式で形成した膨出部２１を備え、この膨出部２１の面積は男性の生殖器官を包み込むために十分であるものとし、この前身中央生地２の布材はナイロンや弾性人造繊維、リクラ、ポリエステル繊維、テンセルのうちのいずれかの材質とするか、これらのうち一種類以上の材質の混紡から成るものとし、使用者が着用した後、この柔軟で滑らかな前身中央生地２表面と皮膚が接触し、さらに膨出部２１を使用者の生殖器官の形状に合わせることで、より快適に着用することができる。このように、上述の構造により、まったく新しい前身中央生地シームレスブリーフが構成される。
【０００７】
図６及び図７に本考案の前身中央生地の製造状態を示す。これらの図に示すように、前身中央生地２の膨出部２１を熱プレスで形成するときは、金型４を用いた金型プレス成型を行う。この金型４でプレスするときは、弾性を備えた柔軟な布材から成る前身中央生地２を準備し、突出部４１１を備えた第一金型４１と陥没部４２１を備えた第二金型４２の間にこの前身中央生地２を置き、適切な温度（例：１５０℃〜２００℃の間）でプレスすると、前身中央生地２上に膨出部２１を形成することができ、これによりブリーフの前身中央生地２の製造を容易にする効果を得ることができる。
【０００８】
上述のように、本考案の前身中央生地シームレスブリーフは、効果的に従来品のさまざまな欠点を改善することができ、ブリーフの製造を容易にするという効果を得られるだけでなく、使用者が着用後、この柔軟で滑らかな前身中央生地表面と皮膚が接触し、さらに膨出部を利用し使用者の生殖器官の形状に合わせることで、より快適に着用できるという効果も得ることができる。このため、本考案は進歩性と実用性を兼ね備え、且つ使用者のニーズにより応えることができるため、実用新案登録出願の要件を満たしており、ここに実用新案登録を出願するものである。
【０００９】
以上で述べた説明は、本考案の最良の実施例に基づくものであり、本考案の実施の範囲を制限するものではなく、本考案の出願する実用新案登録請求の範囲及び明細書の内容に基づく簡単な同等効果を得られる変化や修飾はすべて本考案の実用新案登録請求の範囲に含まれるものとみなす。
【図面の簡単な説明】
【００１０】
【図１】従来のブリーフの立体外観図である。
【図２】従来のブリーフの前身中央生地の縫着前の状態を示す斜視図である。
【図３】図１のＡ−Ａ線における断面図である。
【図４】本考案の立体外観図である。
【図５】本考案の前身中央生地の縫着前の状態を示す斜視図である。
【図６】本考案の前身中央生地の製造状態を示す模式図である。
【図７】本考案の前身中央生地の製造状態を示す別の模式図である。
【符号の説明】
【００１１】
１  ブリーフ
２  前身中央生地
２１  膨出部
２２  生地
３  細幅伸縮性生地
４  金型
４１  第一金型
４１１  突出部
４２  第二金型
４２１  陥没部
５  ブリーフ
５１  前身中央生地
５１１、５１２  生地
５１３、５１４  切欠部
５１５  縫着部
５２  細幅伸縮性生地
【図１】
0003117128.tif 000003
【図２】
0003117128.tif 000004
【図３】
0003117128.tif 000005
【図４】
0003117128.tif 000006
【図５】
0003117128.tif 000007
【図６】
0003117128.tif 000008
【図７】
0003117128.tif 000009